(57)【要約】【課題】包装箱を構成する箱本体と蓋体の形状を同一化して低コスト化するとともに、包装箱の収容効率を低下させずに、箱強度を向上すること。【解決手段】同一形状の第１の箱１１と第２の箱１２が互いに嵌合した包装箱１０であって、第１の箱１１と第２の箱１２がそれぞれ、主板２０の２つの外縁に沿う位置から箱の全高に渡って立上げられる補強片３０を、２つ折り以上に折重ねた状態で正面板２１と背面板２２と側板２３、２４のいずれかに添設してなるもの。【選択図】  図１
2004203471.tif 000002
【特許請求の範囲】
【請求項１】
同一形状の第１の箱と第２の箱を互いに嵌合した包装箱であって、
第１の箱と第２の箱はそれぞれ、
天面又は底面になる主板と、該主板の外縁に交差する正面板、背面板及び両側板を１枚の基材シートによって連設するように設け、主板と正面板と背面板と両側板を折曲げて箱状に組立てられ、
主板の２つの外縁に沿う位置から箱の全高に渡って立上げられる補強片を、２つ折り以上に折重ねた状態で正面板と背面板と側板のいずれかに添設してなる包装箱。
【請求項２】
前記背面板の高さを箱の全高と同一高さにし、正面板と両側板の高さを背面板の高さより低くし、背面板の両側縁に前記補強片を連設し、２つ折り以上に折重ねた該補強片を側板に添設してなる請求項１に記載の包装箱。
【請求項３】
前記正面板と背面板と両側板の少なくとも１つに、封緘片を設けた請求項１又は２に記載の包装箱。
【発明の詳細な説明】
【０００１】
【発明の属する技術分野】
本発明は、洗剤、食品等が充填される樹脂製等のボトル、スタンディングパウチを梱包するに好適な包装箱に関する。
【０００２】
【従来の技術】
包装箱として、箱本体の底板のコーナー部で側板が交差する箇所に三角柱状の補強柱を立設したものがある（特許文献１）。
【０００３】
【特許文献１】
特許第2973827号（1頁、4頁、図１）
【０００４】
【発明が解決しようとする課題】
▲１▼包装箱を構成する箱本体と蓋体の形状が異なる。異形状の箱本体と蓋体を用意する必要があり、基材シートのための抜き型も箱本体用と蓋体用で異なるものになり、製造設備、製造工程が複雑になり、高コストになる。
【０００５】
▲２▼箱本体の内容物収容空間の角部に、補強柱を形成する三角柱が設けられるため、箱本体の内容物収容空間が狭小化し、包装箱の収容効率が悪い。
【０００６】
本発明の課題は、包装箱を構成する箱本体と蓋体の形状を同一化して低コスト化するとともに、包装箱の収容効率を低下させずに、箱強度を向上することにある。
【０００７】
【課題を解決するための手段】
請求項１の発明は、同一形状の第１の箱と第２の箱を互いに嵌合した包装箱であって、第１の箱と第２の箱はそれぞれ、天面又は底面になる主板と、該主板の外縁に交差する正面板、背面板及び両側板を１枚の基材シートによって連設するように設け、主板と正面板と背面板と両側板を折曲げて箱状に組立てられ、主板の２つの外縁に沿う位置から箱の全高に渡って立上げられる補強片を、２つ折り以上に折重ねた状態で正面板と背面板と側板のいずれかに添設してなるようにしたものである。
【０００８】
【発明の実施の形態】
（第１実施形態）（図１〜図３）
包装箱１０は、図１に示す如く、同一形状の第１の箱１１と第２の箱１２を互いに嵌合してなるものであり、第１の箱１１を箱本体１１Ａ（又は蓋体）、第２の箱１２を蓋体１２Ａ（又は箱本体）として使用できる。第１の箱１１と第２の箱１２は同一形状であるから、第１の箱１１をそれらの代表として説明する。
【０００９】
第１の箱１１（第２の箱１２も同じ）は、段ボールシート、板紙等の基材シート等によって構成され、図２に示す展開状態で、底面（第２の箱１２では天面）になる矩形状の主板２０と、主板２０の４つの外縁のそれぞれに交差する正面板２１、背面板２２及び両側板２３、２４を１枚の基材シートによって連設するように設け、主板２０と正面板２１と背面板２２と側板２３、２４を折曲げて箱状に組立てられる。２５は両側板２３、２４の正面板２１側の側縁に連設された糊付片である。
【００１０】
第１の箱１１（第２の箱１２も同じ）は、背面板２２の高さｈを包装箱１０の全高と同一高さにし、正面板２１の高さａと側板２３、２４の正面板寄りの高さａ、背面板寄りの高さｂをそれぞれ背面板２２の高さｈより低くしている。本実施形態では、ａ＜ｂ、ａ＋ｂ＝ｈとしている。
【００１１】
第１の箱１１（第２の箱１２も同じ）は、主板２０の２つの外縁、本実施形態では側板２３、２４が連設している外縁に沿う位置から包装箱１０の全高に渡って立上げられる高さｈの補強片３０を、２つ折り以上（本実施形態では２つ折り）に折重ねた状態で側板２３、２４に添設している。本実施形態では、背面板２２の両側縁に補強片３０を連設し、２つ折りして折重ねた補強片３０を側板２３、２４に添設している。
【００１２】
第１の箱１１（第２の箱１２も同じ）では、糊付片２５を正面板２１の内側に接着剤を介して接着し、補強片３０を側板２３、２４の内側に接着剤を介して接着した。
【００１３】
第１の箱１１（第２の箱１２も同じ）の組立ては、主板２０に対し正面板２１、背面板２２、側板２３、２４を立上げるように折曲げ、両補強片３０を２つ折りし、２つ折りした補強片３０を接着剤を介して側板２３、２４の内側面に接着する。更に、糊付片２５を接着剤を介して正面板２１の内側面に接着する。
【００１４】
包装箱１０は、箱本体１１Ａとしての第１の箱１１にボトル、スタンディングパウチ等の内容物を収容した後、蓋体１２Ａとしての第２の箱１２を第１の箱１１に嵌合して閉蓋する。このとき、第２の箱１２（蓋体１２Ａ）の背面板２２の先端部及び補強片３０の側板２３、２４より突出している部分を第１の箱１１（箱本体１１Ａ）の正面板２１及び側板２３、２４の内側に嵌合し、第２の箱１２（蓋体１２Ａ）の正面板２１及び側板２３、２４を第１の箱１１（箱本体１１Ａ）の背面板２２の先端部及び補強片３０の側板２３、２４より突出している部分の外側に嵌合する。
【００１５】
本実施形態によれば以下の作用効果がある。
（請求項１に対応する作用効果）
▲１▼同一形状の第１の箱１１と第２の箱１２を箱本体１１Ａと蓋体１２Ａに用いることになるし、基材シートのための抜き型も箱本体用と蓋体用で共通化できるから、製造設備、製造工程が簡素になり、低コスト化できる。
【００１６】
▲２▼箱１０の全高に渡って設けられる補強片３０を側板２３、２４（正面板２１又は背面板２２でも可）に添設したことにより、箱強度（高さ方向圧縮強度、横方向曲げ強度）を向上できる。このとき、補強片３０は折重ね状に平面化され、三角柱状のものでないから、箱１０の内容物収容空間を狭小化させず、包装箱１０の収容効率を低下させない。
【００１７】
▲３▼前述▲２▼において、包装箱１０の高さ方向圧縮強度を向上するから、包装箱１０を多段積みしたときにも、包装箱１０の座屈を生じない。また、包装箱１０の耐落下衝撃性も向上する。
【００１８】
▲４▼前述▲２▼において、包装箱１０の横方向曲げ強度も向上するから、包装箱１０の耐落下衝撃性を向上するし、内容物が正面板２１、背面板２２及び側板２３、２４に及ぼす面圧による該正面板２１、背面板２２及び側板２３、２４の胴膨れや破損を防止できる。
【００１９】
（請求項２に対応する作用効果）
▲５▼背面板２２の高さを箱１０の全高と同一高さにし、補強片３０を背面板２２の両側縁に連設する状態で側板２３、２４に添設した。更に、正面板２１と両側板２３、２４の高さを低くした。従って、包装箱１０の開封状態で、箱本体１１Ａの正面及び側面を外界に対し広く開放し、内容物の陳列性を向上できる。
【００２０】
▲６▼包装箱１０の開封時に、箱本体１１Ａから取除いた、該箱本体１１Ａと同一形状の蓋体１２Ａを反転載置し、箱本体１１Ａの内容物の一部を蓋体１２Ａの側に取り分けることにより、蓋体１２Ａも陳列用箱として使用できる。
【００２１】
包装箱１０にあっては、正面板２１の高さａと、側板２３、２４の正面板寄りの高さａ、背面板寄りの高さｂと、背面板２２及び補強片３０の高さｈの相互関係を前述の如く、ａ＋ｂ＝ｈとした。従って、第１の箱１１と第２の箱１２を嵌合させたとき、第１の箱１１の主板２０（底面）と第２の箱１２の主板２０（天面）との間に隙間なく補強片３０を立設させるとともに、第１の箱１１の正面板２１と第２の箱１２の背面板２２を隙間なく突き合せ、第１の箱１１の背面板２２と第２の箱１２の正面板２１も隙間なく突き合せ、第１の箱１１の側板２３、２４と第２の箱１２の側板２３、２４も隙間なく突き合せることになり、箱強度を一層向上させることができる。
【００２２】
図３（Ａ）は図１、図２の包装箱１０の変形例であり、第１の箱１１（第２の箱１２）の側板２３、２４の外縁に封緘片２６を設けた。第１の箱１１と第２の箱１２の嵌合状態で、第１の箱１１の封緘片２６が第２の箱１２の側板２３、２４の外面に接着される。第２の箱１２の封緘片２６が第１の箱１１の側板２３、２４の外面に接着されても良い。
【００２３】
尚、包装箱１０にあっては、封緘片２６を備えず、第１の箱１１と第２の箱１２の嵌合状態で、図３（Ｂ）に示す如く、封緘テープ２７を第１の箱１１、第２の箱１２の相接する側板２３同士、側板２４同士に接着するものでも良い。
【００２４】
（第２実施形態）（図４）
第２実施形態の包装箱１０も、第１実施形態の包装箱１０におけると同一の基材シート（図２）の折曲げによって組立てられる。第２実施形態の包装箱１０が第１実施形態の包装箱１０と異なる点は、包装箱１０の第１の箱１１（第２の箱１２も同じ）が、補強片３０を側板２３、２４の外側に接着したことにある。
【００２５】
包装箱１０において、蓋体１２Ａとしての第２の箱１２を第１の箱１１（箱本体１１Ａ）に嵌合するに際しては、第２の箱１２（蓋体１２Ａ）の背面板２２の先端部及び補強片３０の先端部を第１の箱１１（箱本体１１Ａ）の正面板２１及び側板２３、２４の外側に嵌合し、第２の箱１２（蓋体１２Ａ）の正面板２１及び側板２３、２４を第１の箱１１（箱本体１１Ａ）の背面板２２の先端部及び補強片３０の先端部の内側に嵌合する。
【００２６】
第２実施形態の包装箱１０にあっては、補強片３０を正面板２１、背面板２２、側板２３、２４の外側（本実施形態では側板２３、２４の外側）に添設したから、第１の箱１１（第２の箱１２も同じ）の内部で正面板２１、背面板２２、側板２３、２４の内側面が画成する内容物収容サイズ〜スペースを補強片３０の厚み分だけ広くとり、包装箱１０の収容効率を向上できる。
【００２７】
（第３実施形態）（図５、図６）
第３実施形態の包装箱１０は、第１実施形態の包装箱１０におけると実質的に同一の基材シート（図６）によって組立てられる。
【００２８】
第３実施形態の包装箱１０が第１実施形態の包装箱１０と異なる点は、第１の箱１１（第２の箱１２）の正面板２１の外縁に封緘片２８を設け、かつ糊付片２５を正面板２１の外側面に接着したことにある。
【００２９】
第３実施形態にあっては、蓋体１２Ａとしての第２の箱１２を第１の箱１１（箱本体１１Ａ）に嵌合したとき、第２の箱１２の背面板２２の先端部が第１の箱１１の正面板２１の内側に上述の糊付片２５を介することなく嵌合でき、換言すれば第２の箱１２の背面板２２と第１の箱１１の正面板２１を隙間なく嵌合できるから、第１の箱１１の正面板２１に設けた封緘片２８を第２の箱１２の背面板２２に隙間なく接着できる。
【００３０】
本実施形態において、補強片は主板の２つの外縁に沿う位置から立上げられるものであれば、主板の上の外縁に沿う位置から立上げられるものでも良い。
【００３１】
また、２つ折り以上に折重ねた補強片は、正面板と背面板と側板のいずれに添設するものでも良く、またそれらの内側面と外側面のいずれに添設するものでも良い。
【００３２】
また、封緘片は、正面板と背面板と側板の少なくとも１つに設けるものであれば良い。
【００３３】
【発明の効果】
本発明によれば、包装箱を構成する箱本体と蓋体の形状を同一化して低コスト化するとともに、包装箱の収容効率を低下させずに、箱強度を向上することができる。
【図面の簡単な説明】
【図１】図１は第１実施形態の包装箱を示す模式図である。
【図２】図２は第１実施形態の基材シートを示す展開図である。
【図３】図３は包装箱の変形例を示す模式図である。
【図４】図４は第２実施形態の包装箱を示す模式図である。
【図５】図５は第３実施形態の包装箱を示す模式図である。
【図６】図６は第３実施形態の基材シートを示す展開図である。
【符号の説明】
１０  包装箱
１１  第１の箱
１２  第２の箱
２０  主板
２１  正面板
２２  背面板
２３、２４  側板
２６、２８  封緘片
３０  補強片
【図１】
2004203471.tif 000003
【図２】
2004203471.tif 000004
【図３】
2004203471.tif 000005
【図４】
2004203471.tif 000006
【図５】
2004203471.tif 000007
【図６】
2004203471.tif 000008